(57)【要約】【課題】  一見して磁気ネックレスと分からない磁気ネックレスを提供する。【解決手段】  磁気ネックレス１は、多数の略楕円体のカプセル３と多数の略球体のカプセル５とを有する。カプセル３とカプセル５とは連結棒７によって交互に連結されている。カプセル３には長軸の両端に開口３ａが形成されており、カプセル５には両端に開口５ａが形成されている。連結棒７の軸部７ａの一端及び他端は、開口３ａ，５ａに各々挿入されている。連結棒７は、開口３ａの幅より広い幅を有する抜け止め部７ｂを軸部７ａの一端に備え、開口５ａの幅より広い幅を有する抜け止め部７ｃを軸部７ａの他端に備える。抜け止め部７ｂ，７ｃは、カプセル３，５内に各々収容されているので、隣り合うカプセル３，５の間には棒状の軸部７ａのみが露出して見える。このため、隣り合うカプセル３，５間の連結部が目立ちにくい。【選択図】  図２
2005087407.tif 000002
【特許請求の範囲】
【請求項１】
両端に開口が形成された複数のカプセルを有し、隣り合う前記カプセル同士が連結棒によって各々連結されており、
前記連結棒の一端及び他端は、隣り合う前記カプセルの前記開口に各々挿入され、
前記連結棒は、前記開口の幅より広い幅を有する抜け止め部を前記一端及び他端に備え、
前記複数のカプセルのうち少なくとも一つに永久磁石体が収容されていることを特徴とする磁気ネックレス。
【請求項２】
前記複数のカプセルのうち少なくとも一つは、チタンを主成分とする金属材料から形成されていることを特徴とする請求項１に記載の磁気ネックレス。
【請求項３】
前記永久磁石体が収容されている前記カプセルのうち少なくとも一つは略楕円体であり、
前記略楕円体の長軸の両端に前記開口が形成され、
前記長軸の長さは、前記略楕円体の短軸の長さに対して１．５倍以上となることを特徴とする請求項１又は２に記載の磁気ネックレス。
【請求項４】
前記複数のカプセルは、パイプを準備し、前記カプセルの形状に対応する凹部を有する型に前記パイプを挟み、前記パイプを変形させることによって形成されることを特徴とする請求項１〜３のいずれか一項に記載の磁気ネックレス。
【請求項５】
隣り合う前記カプセルの前記開口間の最大離間距離は、０．５〜３．０ｍｍであることを特徴とする請求項１〜４のいずれか一項に記載の磁気ネックレス。
【請求項６】
前記永久磁石体が収容されている前記カプセルの前記開口に挿入された前記連結棒の前記抜け止め部の幅は、前記永久磁石体が収容されている前記カプセルの両端に形成された前記開口を結ぶ方向に略直交する方向における前記永久磁石体の幅より小さいことを特徴とする請求項１〜５のいずれか一項に記載の磁気ネックレス。
【発明の詳細な説明】
【技術分野】
【０００１】
本発明は、磁気ネックレスに関する。
【背景技術】
【０００２】
従来、永久磁石体が収容されたカプセルと、カプセルの両端に設けられたフックと、フックに取り付けられ、隣り合うカプセルを連結するリング鎖とを備える磁気ネックレスが知られている（例えば、特許文献１参照）。このリング鎖は、複数のリングを連結して成る鎖である。
【０００３】
また、ネジによってカプセルの両端にリングが取り付けられた磁気ネックレスが知られている（例えば、特許文献２参照）。このリングにリング鎖が取り付けられることによってカプセル同士は連結される。
【０００４】
さらに、カプセルの両端に形成された開口にリング鎖の端部が挿入されることにより、隣接するカプセルが連結された磁気ネックレスが知られている（例えば、特許文献３参照）。この磁気ネックレスでは、隣り合うカプセル同士がリング鎖によって連結されている。
【０００５】
特許文献１〜３に記載されている磁気ネックレスでは、いずれもカプセルと連結部（リング鎖）とが明確に区別されて見える。
【０００６】
【特許文献１】特開２００１−１７８５１２号公報
【特許文献２】実開平０２−１３６６５０号公報
【特許文献３】実開昭５５−３００９１号公報
【発明の開示】
【発明が解決しようとする課題】
【０００７】
しかしながら、カプセルと連結部とが明確に区別されて見えると、磁気ネックレスであることが一見して明らかであり、磁気ネックレスの外観を著しく損ねてしまう。
【０００８】
そこで、本発明は一見して磁気ネックレスと分からない磁気ネックレスを提供することを目的とする。
【課題を解決するための手段】
【０００９】
上述の課題を解決するため、本発明の磁気ネックレスは、両端に開口が形成された複数のカプセルを有し、隣り合うカプセル同士が連結棒によって各々連結されており、連結棒の一端及び他端は、隣り合うカプセルの開口に各々挿入され、連結棒は、開口の幅より広い幅を有する抜け止め部を一端及び他端に備え、複数のカプセルのうち少なくとも一つに永久磁石体が収容されていることを特徴とする。
【００１０】
本発明の磁気ネックレスによれば、連結棒の抜け止め部がカプセル内に収容されているので、隣り合うカプセル同士が棒によって連結されているように見える。このため、隣り合うカプセル間の連結部が目立ちにくい。
【００１１】
ここで、複数のカプセルのうち少なくとも一つは、チタンを主成分とする金属材料から形成されていると好ましい。
【００１２】
これにより、磁気ネックレスの軽量化、耐食性の向上、更には磁気ネックレスを使用する際の金属アレルギーを抑制できる。
【００１３】
また、永久磁石体が収容されているカプセルのうち少なくとも一つは略楕円体であり、略楕円体の長軸の両端に開口が形成され、長軸の長さは、略楕円体の短軸の長さに対して１．５倍以上となると好ましい。
【００１４】
これにより、略楕円体であるカプセルの長軸方向に永久磁石体を長くできるため、磁束を大きくできる。また、略楕円体の長軸方向にカプセルが連結されるので、磁気ネックレスを曲げやすくなる。
【００１５】
またさらに、複数のカプセルは、パイプを準備し、カプセルの形状に対応する凹部を有する型にパイプを挟み、パイプを変形させることによって形成されると好ましい。これにより、合わせ目のない複数のカプセルが連結された磁気ネックレスが得られる。
【００１６】
さらにまた、隣り合うカプセルの開口間の最大離間距離は、０．５〜３．０ｍｍであると好ましい。この距離が０．５ｍｍ未満であると連結棒が短すぎるため、磁気ネックレスを曲げにくくなり、更には磁気ネックレスが切れるおそれがある。一方、この距離が３．０ｍｍを超えると連結棒が長すぎるため、連結棒が折れるか又は曲がりやすい傾向がある。
【００１７】
また、永久磁石体が収容されているカプセルの開口に挿入された連結棒の抜け止め部の幅は、永久磁石体が収容されているカプセルの両端に形成された開口を結ぶ方向に略直交する方向における永久磁石体の幅より小さいと好ましい。
【００１８】
抜け止め部の幅を小さくすると、カプセル内で抜け止め部が動きやすくなるので、磁気ネックレスを曲げやすくなる。一方、永久磁石体の幅を大きくすると、カプセル内における永久磁石体の可動範囲が狭くなり、カプセル内で永久磁石体が動きにくくなる。このため、永久磁石体の欠けを抑制できるので、磁気ネックレスが磁石粉により汚染されにくくなる。また、永久磁石体の幅を大きくすると永久磁石体の体積が増大し、磁束を大きくできる。したがって、抜け止め部の幅を永久磁石体の幅より小さくすることにより、磁気ネックレスの曲げやすさ、汚れにくさ、磁束の大きさがいずれも満たされる。
【００１９】
また、複数のカプセルのうち少なくとも一つは、永久磁石体が収容されていないカプセルであると好ましい。これにより、永久磁石体の磁力によってカプセル同士が付着してしまうことを抑制できる。また、磁気ネックレスの軽量化を図ることができる。
【発明の効果】
【００２０】
本発明によれば、一見して磁気ネックレスと分からない磁気ネックレスを提供することができる。
【発明を実施するための最良の形態】
【００２１】
以下、実施の形態に係る磁気ネックレスについて説明する。なお、同一要素には同一符号を用い、重複する説明は省略する。
【００２２】
（第１実施形態）
図１は、第１実施形態に係る磁気ネックレス１の平面図である。磁気ネックレス１は、多数の略楕円体のカプセル３と多数の略球体のカプセル５とを有している。カプセル３とカプセル５とは隣り合っており、連結棒７によって交互に連結されている。磁気ネックレス１の両端には、繋ぎ玉１１を介して抜きカン１２が各々取り付けられている。一方の抜きカン１２には、Ｃカン１３を介して留め具フック１４が取り付けられており、他方の抜きカン１２には、Ｃカン１３を介して留め具プレート１５が取り付けられている。かかる磁気ネックレス１を首に巻きつけた後に、留め具フック１４を留め具プレート１５に係合させ、磁気ネックレス１を環状にすることによって、磁気ネックレス１を首に装着することができる。
【００２３】
一部のカプセル３には永久磁石体９が収容されており、残部のカプセル３及びカプセル５には永久磁石体９が収容されていない。永久磁石体９が収容されていないカプセルがあるので、磁力によってカプセル同士が付着してしまうことを抑制できると共に磁気ネックレス１の軽量化を図ることができる。これにより、磁気ネックレス１は取り扱われやすくなる。さらに、磁気ネックレス１において、永久磁石体９は所定の間隔で略均等に配置されているので、磁気ネックレス１が一層取り扱われやすくなり、更には、人体に対して磁力の偏りがなくなる。
【００２４】
カプセル３，５及び連結棒７は、チタンを主成分とする金属材料から形成されている。かかる金属材料として、チタン或いはチタン合金等が例示できる。これにより、磁気ネックレス１の軽量化、耐食性の向上、更には磁気ネックレス１を使用する際の金属アレルギーの抑制を実現できる。また、チタンは柔和な色合いを有しているので、シックな雰囲気の磁気ネックレス１が得られる。
【００２５】
永久磁石体９の形状は柱状、例えば円柱又は角柱である。永久磁石体９に用いられる磁石としては、フェライト磁石、ＳｍＣｏ磁石、ＮｄＦｅＢ磁石等を例示できる。
【００２６】
図２は、磁気ネックレス１のII−II矢印断面図である。カプセル３には略楕円体の長軸の両端に開口３ａが形成されており、カプセル５には両端に開口５ａが形成されている。連結棒７の軸部７ａの一端及び他端は、互いに対向する開口３ａ，５ａに各々挿入されている。
【００２７】
連結棒７は、開口３ａの幅（径）より広い幅（径）を有する抜け止め部７ｂを軸部７ａの一端に備え、開口５ａの幅（径）より広い幅（径）を有する抜け止め部７ｃを軸部７ａの他端に備える。これにより、連結棒７が開口３ａ，５ａから抜けないようになっている。開口３ａ，５ａの形状は、例えば円形又は矩形である。開口３ａ，５ａの幅は、開口寸法の最大値で規定される。例えば、円形の場合は円の直径であり、矩形の場合は対角線の長さである。また、抜け止め部７ｂ，７ｃの形状は、例えば円盤状又は矩形の板状である。抜け止め部７ｂ，７ｃの幅は、軸部７ａに略垂直な方向における外形寸法の最大値で規定される。例えば、円盤状の場合は円盤の直径であり、矩形の板状の場合は矩形の板の対角線の長さである。カプセル３，５は、連結棒７の軸部７ａを回転軸として回転可能であり、軸方向に沿ってスライド可能である。
【００２８】
連結棒７の抜け止め部７ｂ，７ｃは、カプセル３，５内に各々収容されている。よって、隣り合うカプセル３，５の間には、実質的に棒状の軸部７ａだけが露出して見えるので、隣り合うカプセル３，５間の連結部が目立ちにくい。したがって、磁気ネックレス１では、カプセル部と連結部とが明確に区別されて見えないので、一見して磁気ネックレスとは分からず、ネックレスの外観を損なわない。
【００２９】
ここで、カプセル３は長さＬの長軸及び長さＳの短軸により外形が規定される略楕円体であるが、長軸の長さＬが短軸の長さＳに対して１．５倍以上３．０倍以下となると好ましく、１．５倍以上２．５倍以下であると更に好ましい。これにより、永久磁石体９をカプセル３の長軸方向に長くすることによって磁束を大きくすることができる。また、カプセル５は、カプセル３の長軸方向に連結されているので、短軸方向に連結されている場合よりも磁気ネックレス１を曲げやすくなる。具体的には、カプセル３の長さＬは例えば８．０ｍｍであり、長さＳは例えば４．０ｍｍである。カプセル５は、例えば直径４．０ｍｍの略球体である。
【００３０】
また、カプセル３の開口３ａとカプセル５の開口５ａとの間の最大離間距離Ｄは、０．５〜３．０ｍｍであると好ましく、０．５〜２．０ｍｍであると更に好ましい。この距離Ｄが０．５ｍｍ未満であると連結棒７が短すぎるため、磁気ネックレス１を曲げにくくなり、更には曲げた際に磁気ネックレス１が切れてしまうおそれがある。一方、この距離Ｄが３．０ｍｍを超えると連結棒７が長すぎるため、磁気ネックレス１を使用する際に、連結棒７が折れるか又は曲がりやすくなる傾向がある。
【００３１】
また、連結棒７の抜け止め部７ｂの幅７ｄは、カプセル３の両端に形成された開口３ａを結ぶ方向に略直交する方向における永久磁石体９の幅（径）９ｄより小さいと好ましい。永久磁石体９の幅９ｄは、開口３ａを結ぶ方向に略直交する方向における外形寸法の最大値で規定される。例えば、永久磁石体９が円柱であれば円の直径となり、四角柱であれば四角形の対角線の長さとなる。
【００３２】
ここで、抜け止め部の幅７ｄをカプセル３の短軸における内径３ｄに対して小さくすると、カプセル３内で抜け止め部７ｂが動きやすくなるので、磁気ネックレス１を曲げやすくなる。一方、永久磁石体９の幅９ｄをカプセル３の短軸における内径３ｄと同程度に大きくすると、カプセル３内における永久磁石体９の可動範囲が狭くなり、カプセル３内で永久磁石体９が動きにくくなる。この場合、永久磁石体９のエッジ又はコーナーが欠けにくくなり、磁石粉による磁気ネックレス１の汚染を抑制できる。また、永久磁石体９の幅９ｄを大きくすると、磁束を大きくできる。したがって、抜け止め部７ｂの幅７ｄが永久磁石体９の幅９ｄより小さいと、磁気ネックレス１の曲げやすさ、汚れにくさ、磁束の大きさがいずれも満たされる。
【００３３】
図３は、磁気ネックレス１の製造工程を示す断面図である。まず、例えばチタン製の線材を成型することにより、連結棒７が直線状に複数接続されてなる連結棒３７を形成する。図３においては、連結棒３７は連結棒７が８つ接続されてなる。続いて、例えば外径４．０ｍｍのチタン製のパイプ３８を準備し、パイプ３８に連結棒３７及び永久磁石体９を交互に収容する。この場合、連結棒３７の長さ或いは個数を調整することにより、永久磁石体９の配置間隔を決定できる。なお、この状態を図３の領域２０に示す。
【００３４】
次に、カプセル５の形状に対応する凹部５０ａ〜５３ａと、カプセル３の形状に対応する凹部３０ａ〜３３ａとを有する金型である型３５ａを準備し、この型３５ａを構成する上型３６及び下型３５の間にパイプ３８を挟むことによってパイプ３８を絞る。上型３６及び下型３５には、略楕円体のカプセル３と略球体のカプセル５とを一組形成するための領域２１〜２４が予め設けられている。領域２１から領域２４まで、徐々に上型３６及び下型３５の間隙が狭くなるように凹部５０ａ〜５３ａ，３０ａ〜３３ａがそれぞれ設けられている。具体的には、領域２１には凹部５３ａ，３３ａ、領域２２には凹部５２ａ，３２ａ、領域２３には凹部５１ａ，３１ａ、領域２４には凹部５０ａ，３０ａがそれぞれ設けられている。このため、パイプ３８を領域２１から領域２４まで順に送り込むことにより一組のカプセル３，５を形成することができる。
【００３５】
まず、第１の絞り工程では、上型３６及び下型３５の間にパイプ３８を挟み、領域２１に位置するパイプ３８の一部を少し絞る。これにより、一組のカプセル３，５の母体となる部分３３，５３が形成される。続いて、第２の絞り工程では、部分３３，５３が領域２２に来るように、パイプ３８を一組のカプセル３，５の長さ分奥に送り込み、部分３３，５３を更に絞ることによって部分３２，５２を形成する。このとき、領域２１においては、パイプ３８の一部が絞られて新たに部分３３，５３が形成されている。
【００３６】
同様に、第３の絞り工程では、部分３２，５２が領域２３に来るように、パイプ３８を一組のカプセル３，５の長さ分奥に送り込み、部分３２，５２を更に絞ることによって部分３１，５１を形成する。さらに、第４の絞り工程では、部分３１，５１が領域２４に来るように、パイプ３８を一組のカプセル３，５の長さ分奥に送り込み、部分３１，５１を更に絞ることによって部分３０，５０を形成する。このように、第１の絞り工程〜第４の絞り工程を経てパイプ３８を絞ることにより、カプセル３，５の母体となる部分３０，５０を形成できる。
【００３７】
なお、永久磁石体９は部分３０内に収容されるように配置されている。また、連結棒３７を構成する連結棒７の軸部７ａの位置でパイプ３８は絞られるので、連結棒７の抜け止め部７ｂ，７ｃは、カプセル３，５に収容されるように配置される。
【００３８】
続いて、領域２５において上型３６及び下型３５の間から押し出されたパイプ３８を治具３９によって曲げると、絞られた箇所でパイプ３８が切断される。これにより、カプセル３，５が形成される。このとき、連結棒３７も切断されて連結棒７が形成される。永久磁石体９が収容されていないカプセル３には、連結棒７が収容されている。この連結棒７は、連結棒３７を分断する際にカプセル３内に残存したものであり、一方の開口３ａに挿入された連結棒７の一端に接続されている。このように、パイプ３８を変形させることによって合わせ目のないカプセル３，５が形成される。
【００３９】
さらに、カプセル３，５及び連結棒７の全体としての長さが、例えば約４３ｃｍとなるように切断した後、両端に繋ぎ玉１１及び抜きカン１２を治具でかしめて繋げる。さらに、一方の抜きカン１２にはＣカン１３を介して留め具フック１４を繋げ、他方の抜きカン１２にはＣカン１３を介して留め具プレート１５を繋げる。以上の工程を経ることにより、磁気ネックレス１を製造することができる。
【００４０】
（第２実施形態）
図４は、第２実施形態に係る磁気ネックレス１００の部分断面図である。磁気ネックレス１００は、磁気ネックレス１におけるカプセル５をカプセル３に置換したものである。このため、磁気ネックレス１００は、全体として統一感のあるものである。
【００４１】
（第３実施形態）
図５(Ａ)及び図５(Ｂ)は、第３実施形態に係る磁気ネックレス２００の部分平面図及びそのＶＢ−ＶＢ矢印断面図である。磁気ネックレス２００は、第２実施形態に係る磁気ネックレス１００におけるカプセル３をカプセル３００に置換したものである。カプセル３００は、カプセル３の表面にカット面３０１〜３０４を形成したものである。カット面３０１〜３０４は、カプセル３の長軸の周方向に均等に配置されている。これにより、光が反射しやすくなるので、光り輝く美しい磁気ネックレス２００が得られる。また、カット面３０１〜３０４に代えて又は加えて、略楕円体の表面に幾何学的模様、動植物等の具体的模様、抽象的模様といった各種模様を施してもよい。これにより、デザイン性に優れた磁気ネックレス２００が得られる。
【００４２】
以上、本発明の好適な実施形態について詳細に説明したが、本発明は上記実施形態に限定されない。
【００４３】
例えば、上記実施形態では、永久磁石体９は複数のカプセル３に収容されていたが、カプセル３，５のうち少なくとも一つに収容されていればよい。なお、永久磁石体９がカプセル３，５の全てに収容されていても、一見して磁気ネックレスとは分からないという効果はある。
【００４４】
また、上記実施形態では、カプセル３，５及び連結棒７はチタンを主成分とする金属材料から形成されているとしたが、真鍮等の他の金属材料或いはプラスチック材料等から形成されていてもよい。
【００４５】
また、上記実施形態では、カプセル３は略楕円体であるとしたが、円柱や角柱などの柱状体や略球体であってもよい。
【００４６】
また、上記第３実施形態では、第２実施形態に係る磁気ネックレス１００にカット面を形成したが、第１実施形態に係る磁気ネックレス１にカット面を形成してもよい。
【図面の簡単な説明】
【００４７】
【図１】第１実施形態に係る磁気ネックレスの平面図である。
【図２】磁気ネックレスのII−II矢印断面図である。
【図３】磁気ネックレスの製造工程を示す断面図である。
【図４】第２実施形態に係る磁気ネックレスの部分断面図である。
【図５】第３実施形態に係る磁気ネックレスの部分平面図及びそのＶＢ−ＶＢ矢印断面図である。
【符号の説明】
【００４８】
１，１００，２００…磁気ネックレス、３ａ，５ａ…開口、３，５，３００…カプセル、７…連結棒、７ａ…軸部、７ｂ，７ｃ…抜け止め部、９…永久磁石体、３５…下型、３６…上型、３５ａ…型、３０ａ〜３３ａ，５０ａ〜５３ａ…凹部、３８…パイプ、３０１〜３０４…カット面。
【図１】
2005087407.tif 000003
【図２】
2005087407.tif 000004
【図３】
2005087407.tif 000005
【図４】
2005087407.tif 000006
【図５】
2005087407.tif 000007